(57)【特許請求の範囲】
【請求項１】
テープ状印刷媒体に印刷するための印刷データを作成・編集する印刷データ作成・編集手段を備えたラベル作成装置において、
前記ラベル作成装置に装着可能な前記テープ状印刷媒体のテープ種類を検出する検出手段と、
前記検出手段によって検出される回数をテープ種類と共に記憶する記憶手段と、
前記印刷データ作成・編集手段によって作成・編集された印刷データを印刷するために印刷データに適合するテープ状印刷媒体が選択されるテープ種類選択用リストボックスと、
前記ラベル作成装置に現在装着されて前記記憶手段に記憶されているテープ状印刷媒体のテープ種類と、これ以前にラベル作成装置に装着されて記憶手段にテープ種類と共に記憶されているテープ状印刷媒体の検出される回数に基づいて前記テープ種類選択用リストボックスの表示内容を変更する変更手段と、
を備え、
前記ラベル作成装置に装着可能な前記テープ状印刷媒体の内、前記テープ種類選択用リストボックスに表示されないテープ状印刷媒体のテープ種類は、テープ種類選択用リストボックスに表示されている表示追加ボタンを選択することによって表示されるようにしたことを特徴とするラベル作成装置。
【請求項２】
前記変更手段によって、前記ラベル作成装置に装着可能な前記テープ状印刷媒体の内、前記テープ種類選択用リストボックスの表示内容を使用実績のあるテープ状印刷媒体のテープ種類のみを表示するようにしたことを特徴とする請求項１に記載のラベル作成装置。
【請求項３】
前記変更手段によって、前記ラベル作成装置に装着可能な前記テープ状印刷媒体の内、使用実績のないテープ状印刷媒体のテープ種類は、前記テープ種類選択用リストボックスの表示色を変更して表示するようにしたことを特徴とする請求項１に記載のラベル作成装置。
【請求項４】
前記テープ種類選択用リストボックスの表示色をハーフトーンにしたことを特徴とする請求項３に記載のラベル作成装置。
【請求項５】
前記変更手段によって、前記ラベル作成装置に装着可能な前記テープ状印刷媒体の使用状態を、前記記憶手段に記憶されている情報に基づいて前記テープ種類選択用リストボックスのそれぞれのテープ状印刷媒体表示に符号を付加して表現したことを特徴とする請求項１に記載のラベル作成装置。
【請求項６】
前記テープ状印刷媒体の使用状態を示す符号には、テープ状印刷媒体の残量が少ないことを示す符号を含むようにしたことを特徴とする請求項５に記載のラベル作成装置。
【請求項７】
前記変更手段によって、前記ラベル作成装置に現在装着されて前記記憶手段に記憶されているテープ状印刷媒体のテープ種類を前記テープ種類選択用リストボックスのテープ状印刷媒体の表示順序の先頭に配置するようにしたことを特徴とする請求項１に記載のラベル作成装置。
【発明の詳細な説明】
【技術分野】
【０００１】
本発明は、ラベル作成装置に関し、特に編集プログラムのユーザーインターフェイスにおける操作画面の選択用メニュー表示に関するものである。
【背景技術】
【０００２】
従来、機器を動作させるために、表示装置に表示された編集プログラムの選択用メニュー表示から操作者にメニューを選択させて動作させる方法が行われている。そして、この表示装置に表示された選択用メニュー表示と操作者とのユーザーインターフェイスにおける選択用メニュー表示に対して、利便性を向上させるための各種技術の提案がなされている。
例えば、特許文献１には、操作画面表示制御部にて作成され、表示装置へと表示される複数の操作画面のうち、上位操作画面から下位操作画面への画面移行について、下位操作画面の選択操作メニューにおける複数の選択肢のそれぞれの選択可能／不可能と、既選択／未選択との情報を、選択肢情報管理部において管理する。そして、それらの選択肢情報と、所定の条件とに基づいて、下位操作画面への画面移行の許可または禁止を設定または切り換える技術が開示されている。
【０００３】
【特許文献１】特開２００１−３５０５５２号公報
【発明の開示】
【発明が解決しようとする課題】
【０００４】
前記特許文献１の技術においては、表示装置へと表示される複数の操作画面のうち、上位操作画面から下位操作画面への画面移行方法としては有効な技術である。しかしながら、編集対象のテープを選択する場合においては、そのような操作者の利便性を向上させるための有効な技術の提案は無かった。
【０００５】
本発明は、前記従来における問題点に対処するためになされたものであり、編集プログラムのユーザーインターフェイスにおける操作画面のテープ種類選択用メニュー表示において、操作画面のテープ種類選択用メニュー表示を操作するときに必要のない項目は省略、又は、可能な限り目立たなくして操作者が目的の項目を素早く見つけ出すことができる操作画面のテープ種類選択用メニュー表示を有するラベル作成装置を提供することを目的とする。
【課題を解決するための手段】
【０００６】
前記目的を達成するため請求項１に係るラベル作成装置は、テープ状印刷媒体に印刷するための印刷データを作成・編集する印刷データ作成・編集手段を備えたラベル作成装置において、前記ラベル作成装置に装着可能な前記テープ状印刷媒体のテープ種類を検出する検出手段と、前記検出手段によって検出される回数をテープ種類と共に記憶する記憶手段と、前記印刷データ作成・編集手段によって作成・編集された印刷データを印刷するために印刷データに適合するテープ状印刷媒体が選択されるテープ種類選択用リストボックスと、前記ラベル作成装置に現在装着されて前記記憶手段に記憶されているテープ状印刷媒体のテープ種類と、これ以前にラベル作成装置に装着されて記憶手段にテープ種類と共に記憶されているテープ状印刷媒体の検出される回数に基づいて前記テープ種類選択用リストボックスの表示内容を変更する変更手段と、を備え、前記ラベル作成装置に装着可能な前記テープ状印刷媒体の内、前記テープ種類選択用リストボックスに表示されないテープ状印刷媒体のテープ種類は、テープ種類選択用リストボックスに表示されている表示追加ボタンを選択することによって表示されるようにしたことを特徴とする。
【０００７】
また、請求項２に係るラベル作成装置は、請求項１に記載のラベル作成装置において、前記変更手段によって、前記ラベル作成装置に装着可能な前記テープ状印刷媒体の内、前記テープ種類選択用リストボックスの表示内容を使用実績のあるテープ状印刷媒体のテープ種類のみを表示するようにしたことを特徴とする。
【０００８】
【０００９】
また、請求項３に係るラベル作成装置は、請求項１に記載のラベル作成装置において、前記変更手段によって、前記ラベル作成装置に装着可能な前記テープ状印刷媒体の内、使用実績のないテープ状印刷媒体のテープ種類は、前記テープ種類選択用リストボックスの表示色を変更して表示するようにしたことを特徴とする。
【００１０】
また、請求項４に係るラベル作成装置は、請求項３に記載のラベル作成装置において、前記テープ種類選択用リストボックスの表示色をハーフトーンにしたことを特徴とする。
【００１１】
また、請求項５に係るラベル作成装置は、請求項１に記載のラベル作成装置において、前記変更手段によって、前記ラベル作成装置に装着可能な前記テープ状印刷媒体の使用状態を、前記記憶手段に記憶されている情報に基づいて前記テープ種類選択用リストボックスのそれぞれのテープ状印刷媒体表示に符号を付加して表現したことを特徴とする。
【００１２】
また、請求項６に係るラベル作成装置は、請求項５に記載のラベル作成装置において、前記テープ状印刷媒体の使用状態を示す符号には、テープ状印刷媒体の残量が少ないことを示す符号を含むようにしたことを特徴とする。
【００１３】
更に、請求項７に係るラベル作成装置は、請求項１に記載のラベル作成装置において、前記変更手段によって、前記ラベル作成装置に現在装着されて前記記憶手段に記憶されているテープ状印刷媒体のテープ種類を前記テープ種類選択用リストボックスのテープ状印刷媒体の表示順序の先頭に配置するようにしたことを特徴とする。
【発明の効果】
【００１４】
請求項１に記載の発明によれば、ラベル作成装置に装着可能な前記テープ状印刷媒体のテープ種類を検出する検出手段と、検出手段によって検出される回数をテープ種類と共に記憶する記憶手段と、印刷データ作成・編集手段によって作成・編集された印刷データを印刷するために印刷データに適合するテープ状印刷媒体が選択されるテープ種類選択用リストボックスと、ラベル作成装置に現在装着されて記憶手段に記憶されているテープ状印刷媒体のテープ種類と、これ以前にラベル作成装置に装着されて記憶手段にテープ種類と共に記憶されているテープ状印刷媒体の検出される回数に基づいてテープ種類選択用リストボックスの表示内容を変更する変更手段と、を備えている。それにより、テープ種類選択用リストボックスにおいて記憶手段に記憶されたテープ種類と検出される回数に基づいて使用頻度が高いテープ種類を目立たせることにより、操作者が目的のテープを素早く見付け出すことができる。例えば、テープ種類選択用リストボックスの表示内容を使用実績のあるテープ種類のみにして表示を簡略化したり、使用実績のあるテープ種類と使用実績のないテープ種類との差が明確になるように表示したりすることによって、操作者が目的のテープ種類を素早く見付け出すことができる。
また、ラベル作成装置に装着可能なテープ状印刷媒体の内、テープ種類選択用リストボックスに表示されないテープ状印刷媒体のテープ種類は、テープ種類選択用リストボックスに表示されている表示追加ボタンを選択することによって表示されるようにした。それにより、使用実績がないテープ種類は表示追加ボタンにてまとめられているのでテープ種類選択用リストボックスの表示が煩雑にならない。
【００１５】
また、請求項２に記載の発明によれば、変更手段によって、ラベル作成装置に装着可能なテープ状印刷媒体の内、テープ種類選択用リストボックスの表示内容を使用実績のあるテープ状印刷媒体のテープ種類のみを表示するようにした。それにより、全テープ種類を表示することなく使用実績のあるテープ種類のみを表示するので、表示が簡単になり、操作者が目的のテープ種類を素早く見付け出すことができる。
【００１６】
【００１７】
また、請求項３に記載の発明によれば、変更手段によって、ラベル作成装置に装着可能なテープ状印刷媒体の内、使用実績のないテープ状印刷媒体のテープ種類は、テープ種類選択用リストボックスの表示色を変更して表示するようにした。それにより、使用実績のないテープ状印刷媒体のテープ種類の表示色を使用実績のあるテープ状印刷媒体のテープ種類の色よりも目立たない表示色にすることにより、使用実績のあるテープ状印刷媒体のテープ種類を目立たせることができ、操作者に目的のテープ種類を簡単に選択させることができる。
【００１８】
また、請求項４に記載の発明によれば、使用実績のないテープ状印刷媒体のテープ種類は、テープ種類選択用リストボックスの表示色をハーフトーンにした。それにより使用実績のないテープ状印刷媒体のテープ種類の表示色を使用実績のあるテープ状印刷媒体のテープ種類の色よりも目立たなくすることができ、使用実績のあるテープ状印刷媒体のテープ種類が目立つので、操作者に目的のテープ種類を簡単に選択させることができる。
【００１９】
また、請求項５に記載の発明によれば、変更手段によって、ラベル作成装置に装着可能なテープ状印刷媒体の使用状態を、記憶手段に記憶されている情報に基づいてテープ種類選択用リストボックスのそれぞれのテープ状印刷媒体表示に符号を付加して表現した。それにより、テープの使用状態を参考にして操作者は目的のテープ種類を選択することができる。例えば、●の符号は現在テープ印字装置に装着されているテープの種類、○の符号は過去に使用実績のあるテープの種類、符号のないテープの種類は使用実績のないテープの種類と決めておけば、テープの使用状態が分かり煩雑な検索をなくすことができる。
【００２０】
また、請求項６に記載の発明によれば、テープ状印刷媒体の使用状態を示す符号には、テープ状印刷媒体の残量が少ないことを示す符号を含むようにした。それにより、操作者はテープ状印刷媒体の残量が少ないことを知ることができる。
【００２１】
更に、請求項７に記載の発明によれば、変更手段によって、ラベル作成装置に現在装着されて記憶手段に記憶されているテープ状印刷媒体のテープ種類をテープ種類選択用リストボックスのテープ状印刷媒体の表示順序の先頭に配置するようにした。それにより使用される可能性が高いテープ種類の１つが選択し易い位置にあることになる。また、ラベル作成装置に現在装着されているテープ種類の確認はテープ種類選択用リストボックスの先頭のテープ種類を確認すればよい。
【発明を実施するための最良の形態】
【００２２】
以下、本発明に係るラベル作成装置について、それを具体化した第１実施形態乃至第３実施形態に基づいて詳細に説明する。
【００２３】
先ず、第１実施形態に係るラベル作成装置について、図１乃至図１２に基づいて説明する。図１は、ラベル作成装置１の概略外観斜視図である。
【００２４】
図１に示すように、本実施形態に係るラベル作成装置１は、パーソナルコンピュータ等から構成されるコンピュータ装置２と、このコンピュータ装置２と信号ケーブルＫ１を介して接続されるテープ印刷装置３とから構成されている。
また、コンピュータ装置２は、ホストコントローラ４、表示装置（例えば、ＣＲＴ、ＬＣＤ等）５、キーボード６、マウス７、イメージスキャナ８、及びＣＤリード・ライター（ＣＤ−Ｒ／Ｗ）９から構成されている。尚、マウス７は、ジョイスティックやトラックボール等に置き換えてもよい。また、ＣＤ−Ｒ／Ｗ９は、ＭＯ装置、ＤＶＤ装置等に置き換えてもよい。また、イメージスキャナ８、ＣＤ−Ｒ／Ｗ９はなくてもよい。
【００２５】
また、テープ印刷装置３は、所定幅寸法以下（本実施形態においては、約３６ｍｍ以下である。）の長尺状の粘着媒体を裏面側に有するテープ状印刷媒体が内蔵された後述のテープカセット３Ｄ（図２参照）が装着され、この印刷テープに対して印刷するプリンタであり、コンピュータ装置２からの印刷指令に基づき、所望の文字等が印刷された粘着材付印刷テープを作成する。
【００２６】
ここで、テープ印刷装置３の装置本体上面には、開閉蓋３Ａが開閉可能に設けられている。そして、装置本体の上面側部に配置された開閉ボタン３Ｂを押下した際には、開閉蓋３Ａと装置本体とのロックが解除され、開閉蓋３Ａは図示しない付勢部材の作用により開放されるように構成されている。
また、開閉蓋３Ａの前方側へ傾斜した部分には、透明カバーにて覆われた透視窓３Ｃが形成されている。かかる透視窓３Ｃの内側には、カセット装着部が配設され、このカセット装着部に後述のテープカセット３Ｄ（図１中点線にて示す。図２参照）が装着される。そのテープカセット３Ｄの上面には、テープ特定表示部３Ｅが設けられ、このテープ特定表示部３Ｅは透視窓３Ｃを介してテープ印刷装置３の外部から視認することが可能である。
【００２７】
ここに、テープ特定表示部３Ｅは、例えばテープカセット３Ｄ内に内蔵されている長尺状の粘着材付テープ状印刷媒体のテープ幅、テープの色等を表示するものである。因みに、図１に示すテープ特定表示部３Ｅには、テープカセット３Ｄ内に内蔵されているテープのテープ幅が２４ｍｍであることが示されているので、テープカセット３Ｄの種類等も透視窓３Ｃを介して視認できる。また、テープ印刷装置３の側壁には、印刷テープを外部に排出するテープ排出口３Ｆが形成されているので、コンピュータ装置２からの印刷指令に基づき、所望の文字が印刷された粘着材付印刷テープが、テープ排出口３Ｆから排出される。
尚、装置本体の開閉ボタン３Ｂに隣接したボタンは、テープ印刷装置３の電源のオン・オフを行う電源用ボタン３Ｇである。また、電源用ボタン３Ｇに隣接したボタンは、装置本体内に配設されている後述のカッタ機構（図２参照）を駆動するカッタ駆動ボタン３Ｈであり、カッタ駆動用ボタン３Ｈを操作すると、印刷された文字付テープが所望の長さにカットされ所定長さの粘着材付ラベルが作成される。
【００２８】
次に、テープ印刷装置３の印刷機構にテープカセット３Ｄを装着した場合の概略構成について図２に基づいて説明する。
図２に示すように、印刷機構ＰＭに着脱自在に矩形状のテープカセット３Ｄが装着されており、このテープカセット３Ｄには、ラミネートフィルムテープ１１が巻装されたテープスプール１２と、インクリボン１３が巻装されたリボン供給スプール１４と、このインクリボン１３を巻取る巻取りスプール１５と、ラミネートフィルムテープ１１と同一幅を有する両面粘着テープ１６が剥離紙を外側にして巻装された供給スプール１７と、これらラミネートフィルムテープ１１と両面粘着テープ１６とを接合させる接合ローラ１８とが回転自在に設けられている。
【００２９】
前記ラミネートフィルムテープ１１とインクリボン１３とが重なる位置には、サーマルヘッド１９が立設され、これらラミネートフィルムテープ１１とインクリボン１３とをサーマルヘッド１９に押圧するプラテンローラ２０と、ラミネートフィルムテープ１１と両面粘着テープ１６とを接合ローラ１８に押圧して印刷テープ２３を作成する送りローラ２１とは、テープ印刷装置３の本体フレームに回動自在に枢着された支持体２２に回転可能に枢支されている。このサーマルヘッド１９には、５１２個の発熱素子からなる発熱素子群が上下方向に列設されている。
従って、テープ送りモータ７２（図４参照）の所定回転方向への駆動により、接合ローラ１８と巻取りスプール１５とが所定回転方向に夫々同期して駆動されながら、サーマルヘッド１９の発熱素子群に通電されたとき、ラミネートフィルムテープ１１上には複数のドット列により文字やバーコード等が印字され、更に、ラミネートフィルムテープ１１は両面粘着テープ１６を接合した状態にて印刷テープ２３としてテープ送り方向Ａにテープ送りされ、テープ排出口３Ｆから外部に繰出される。尚、印刷機構ＰＭの詳細については、例えば、特開平２−１０６５５５号公報に記載された機構とほぼ同一であるので、ここではその詳細な説明を省略する。
【００３０】
次に、この印刷テープ２３を自動的に切断する切断装置３０について簡単に説明する。前記テープカセット３Ｄの左側に対応するテープ印刷装置３の本体フレームの直ぐ内側には、板状の補助フレーム３１が立設され、この補助フレーム３１に固定刃３２が上向きに固着されている。補助フレーム３１に固着された左右方向向きの枢支軸３３には、前後方向に延びる操作レバー３４の前端近傍部が回動可能に枢支され、その操作レバー３４の枢支軸３３より前側に対応する部位において、可動刃３５が前記固定刃３２と対向して取付けられている。また、操作レバー３４の後端部は、切断用モータ７４（図４参照）に連結された揺動駆動機構（図示略）により上下揺動可能に構成され、常には、可動刃３５が固定刃３２から離間した状態にて保持されている。
そして、サーマルヘッド１９により印刷された印刷テープ２３は、テープカセット３Ｄから固定刃３２と可動刃３５との間を通ってテープ排出口３Ｆから外に延びているので、切断信号により駆動された切断用モータ７４により、揺動駆動機構を介して操作レバー３４の後端部が上下揺動され、可動刃３５が固定刃３２に接近して、これら両刃３２・３５によって印刷テープ２３が切断される。
【００３１】
ところで、前記テープカセット３Ｄから繰出される印刷テープ２３として、テープ幅を６ｍｍ、９ｍｍ、１２ｍｍ、１８ｍｍ、２４ｍｍ、３６ｍｍとする６種類が準備されており、これらテープカセット３Ｄの底壁部には、これら６種類のテープ幅の何れかを検知する為に、４つの突出爪の有無を組合せた突出片２４が設けられている。そして、このテープカセット３Ｄの下側を支持する本体フレームには、この突出片２４の突出爪の組合せからテープ幅を検知するカセットセンサ６８（図４参照）が取付けられている。即ち、このカセットセンサ６８は、突出片２４を構成する突出爪の組合せにより、例えば、テープ幅が２４ｍｍのときには「０１００」のカセット信号を出力し、またテープ幅が３６ｍｍのときには「０１０１」のカセット信号を出力するとともに、テープカセット３Ｄが装着されていないときには、「００００」のカセット信号を出力する。
尚、この突出片２４は、テープ幅の数とテープの色、文字の色等によって増加する。
【００３２】
次に、ラベル作成装置１を構成するコンピュータ装置２の回路構成について図３に基づいて説明する。
【００３３】
図３に示すように、コンピュータ装置２のホストコントローラ４は、ＣＰＵ４１、ＲＯＭ４２、ＲＡＭ４３、入出力インターフェース（Ｉ／Ｆ）４４、通信用インターフェース（Ｉ／Ｆ）４５、フロッピー（登録商標）ディスクコントローラ（ＦＤＣ）４６、フロッピー（登録商標）ディスクドライブ（ＦＤＤ）４７、ハードディスクコントローラ（ＨＤＣ）４８、ハードディスクドライブ（ＨＤＤ）４９、表示装置コントローラ５０、モデム５１等を備えている。また、ＣＰＵ４１、ＲＯＭ４２、ＲＡＭ４３、入出力インターフェース（Ｉ／Ｆ）４４、通信用インターフェース（Ｉ／Ｆ）４５、及びモデム５１は、バス線５２により相互に接続されて、相互にデータのやり取りが行われる。また、入出力Ｉ／Ｆ４４には、ＦＤＤ４７を駆動制御するＦＤＣ４６を介してＦＤＤ４７、ＨＤＤ４９を駆動制御するＨＤＣ４８を介してＨＤＤ４９、及び表示装置コントローラ５０が接続されている。また、モデム５１には電話回線５３が接続されている。
【００３４】
そして、ホストコントローラ４には、入出力Ｉ／Ｆ４４を介して文字や記号等を入力するためのキーボード６、表示装置５の表示画面上の座標を入力するためのマウス７、図面から外形線データ等を取り込むためのイメージスキャナ８、及び印刷用データや後述の印字制御プログラム等をＣＤ−ＲＯＭ５６に書き込み及び読み込むためのＣＤ−Ｒ／Ｗ９が接続されている。また、ホストコントローラ４には、表示装置コントローラ５０を介してラベルデータを割り付けられた印刷テープ等（図１１等参照）を表示し、画面５Ａを備える表示装置５が接続されている。更に、ホストコントローラ４には、通信用Ｉ／Ｆ４５及び信号ケーブルＫ１を介してテープ印刷装置３が接続される。
【００３５】
また、ＣＰＵ４１は、コンピュータ装置２全体を制御し、コンピュータ装置２の動作に関する全てのデータを管理する。また、ＲＯＭ４２には、一般のパーソナルコンピュータと同様に電源投入時にコンピュータ装置２を立ち上げてＣＰＵ４１を起動させるための起動プログラムが格納されている。
【００３６】
また、ＲＡＭ４３は、ＣＰＵ４１が種々の制御を実行する際に、各種データを一時的に記憶するものであり、テープ印刷装置３のカセットセンサ６８（図４参照）を介してテープ種類を検出する検出の回数とそのときのテープ種類を記憶する検出回数対テープ種類記憶エリア４３Ａ、現在装着されているテープ種類を記憶する装着テープ記憶エリア４３Ｂ、表示装置５の画面５Ａに表示されるエディタ表示画面５Ｂの表示フィールドの状態を記憶する表示フィールド記憶エリア４３Ｃ、リストボックスの設定状態を記憶するリストボックス状態記憶エリア４３Ｄ等が設けられている。更に、ＲＡＭ４３には、テキストメモリ、表示メモリなどの各種のメモリが設けられている。
尚、リストボックスは、操作画面にて予め用意された選択肢の中から項目を選択するための短冊状の入力領域である。本明細書においては、リストボックスは、用意された選択肢以外に操作者がデータを入力できるテキストボックスの機能を兼ね備えたコンボボックスも含む。
また、テープ種類とそのテープ種類を検出する検出の回数にかえて、テープ状印刷媒体のテープカセットに印刷した回数をテープ印刷装置３のカセットセンサ６８のテープ種類の検出データと共に使用してもよい。
【００３７】
また、通信用Ｉ／Ｆ４５は、例えば、ＵＳＢ（Universal Serial Bus）インターフェース、セントロニクスインターフェース等から構成され、テープ印刷装置３や外部の電子機器（例えば、コンピュータ、レーザプリンタ等）と双方向データ通信が可能になっている。
【００３８】
また、ＨＤＤ４９に装着されるハードディスクには、ＭＳ−ＤＯＳ（登録商標）やウィンドウズ（登録商標）システム等の各種オペレーティングシステム（ＯＳ）に加えて、テープ印刷装置３や外部の電子機器に対してデータの送受信を行うための通信用プログラム、当該ＯＳにて実行可能なワープロソフトや印刷用データ作成ソフト等の各種アプリケーションプログラムが必要に応じて格納されると共に、本発明に係るラベル印刷データ作成・編集処理プログラムが記憶格納されている。また、ＣＤ−ＲＯＭ５６に格納される複数種類のラベルデータから構成されるデータファイル等が複数格納されたデータベースや、印刷テープ２３の印刷領域に応じて複数の枠が予め割り付けられる複数のテンプレート、等が読み出されて記憶される。
【００３９】
また、ＦＤＤ４７に着脱自在に装着されるフロッピー（登録商標）ディスク（ＦＤ）５５には、印刷データ作成・編集処理等にて得られた各種データが格納保存される。
【００４０】
また、ＣＤ−Ｒ／Ｗ９に着脱自在に装着されるＣＤ−ＲＯＭ５６には、ラベル印刷データ作成・編集処理プログラム等と共に複数種類のラベルデータから構成されるデータファイル等が複数格納されたデータベースや印刷テープ２３の印刷領域に応じて複数の枠が予め割り付けられる複数のテンプレート等が記録され、ＣＤ−ＲＯＭ５６から読み出された各種のプログラムやデータはコンピュータ装置２のＨＤＤ４９に備えるハードディスクに予め記憶される。
【００４１】
次に、ラベル作成装置１を構成するテープ印刷装置３の回路構成について図４に基づき説明する。
図４に示すように、テープ印刷装置３の制御回路部６０は、ＣＰＵ６１、ＣＧ（キャラクタジェネレータ）ＲＯＭ６２、ＲＯＭ６３、ＲＡＭ６４、入出力インターフェース（Ｉ／Ｆ）６５、及び通信用インターフェース（Ｉ／Ｆ）６６等を備えている。また、ＣＰＵ６１、ＣＧＲＯＭ６２、ＲＯＭ６３、ＲＡＭ６４、入出力インターフェース（Ｉ／Ｆ）６５、及び通信用インターフェース（Ｉ／Ｆ）６６は、バス線６７により相互に接続されて、相互にデータのやり取りが行われる。
【００４２】
ここに、ＣＧＲＯＭ６２には各キャラクタに対応するドットパターンデータが記憶されている。また、ＲＯＭ６３は各種のプログラムを記憶させておくメモリであり、印字制御プログラム等のテープ印刷装置３の制御上必要な各種のプログラムが記憶されている。そして、ＣＰＵ６１はかかるＲＯＭ６３に記憶されている各種のプログラムに基づいて各種の演算を行なう。また、ＲＯＭ６３には、多数の文字等のキャラクタのそれぞれについて、各キャラクタの輪郭線を規定する輪郭線データ（アウトラインデータ）が各書体（ゴシック系書体、明朝体系書体等）毎に分類されてコードデータに対応して記憶されている。このアウトラインデータに基づいてドットパターンデータがイメージバッファ上に展開される。
【００４３】
また、ＲＡＭ６４はＣＰＵ６１により演算された各種の演算結果を一時的に記憶させておくためのメモリである。例えば、サーマルヘッド１９を介してラミネートテープ１１に印字する際に印字データが一時記憶される印字バッファがある。また、ＲＡＭ６４には、テキストメモリ、送受信バッファ等の各種のメモリが設けられている。
【００４４】
また、入出力Ｉ／Ｆ６５には、カセットセンサ６８と、サーマルヘッド１９を駆動する為の駆動回路７１と、テープ送りモータ７２を駆動する為の駆動回路７３と、切断用モータ７４を駆動する為の駆動回路７５とが夫々接続されている。
【００４５】
また、通信用Ｉ／Ｆ６６は、例えば、ＵＳＢ（Universal Serial Bus）インターフェース、セントロニクスインターフェース等から構成され、コンピュータ装置２と双方向データ通信が可能になっている。
【００４６】
次に、本実施形態において後述するラベル印刷データ作成編集プログラムを実行した時に表示されるエディタ表示画面５Ｂについて、図５に基づき説明する。図５は、ラベル印刷データ作成編集プログラムを実行した時に表示されるエディタ表示画面のイメージ図である。
【００４７】
図５に示すように、エディタ表示画面５Ｂの中央から右下隅にかけてテープ作成作業領域５Ｃが表示され、テープ作成作業領域５Ｃの内部には、データが入力されたときにそのデータのイメージを包含する印刷テープ２３の出来上がりサイズの概略を表示するテープ枠５Ｓが表示されている。更に、テープ作成作業領域５Ｃの上辺には１ｍｍ単位の横目盛５Ｔ、左辺には１ｍｍ単位の縦目盛５Ｕが設けられている。これによって表示されているテープ枠５Ｓの概略寸法を知ることができる。
また、テープ作成作業領域５Ｃの上方中央には、印刷テープ２３を作成するためにテープの種類を選択するテープ種類選択用リストボックス５Ｄを構成するテープ種類確定欄５Wが表示されている。そして、テープ種類選択用リストボックス５Ｄを構成するテープ種類確定欄５Wの右にある下三角５Ｘにマウスカーソル７Ａを当てマウス７によってクリックすると、テープ種類選択用リストボックス５Ｄを構成する選択肢表示領域５Ｅ（図９参照）が表示され、所望するテープの種類を選択することができる。また、テープ種類選択用リストボックス５Ｄを構成するテープ種類確定欄５Wの上方には、印刷テープ２３の長さを設定するテープ長さ設定欄５Ｆが表示されている。
【００４８】
また、テープ種類選択用リストボックス５Ｄを構成するテープ種類確定欄５Wの右側には、テープ作成領域５Ｃに入力された文字やイラスト等が全て印刷される調度のテープ幅を有するテープ種類に自動的に設定できるテープ種類自動設定ボタン５Ｇが表示され、テープ幅自動設定ボタン５Ｇの上方には、テープ作成領域５Ｃに入力された文字やイラスト等が全て印刷される調度の長さにテープの長さを自動的に設定できるテープ長さ自動設定ボタン５Ｈが表示されている。
【００４９】
また、テープ種類自動設定ボタン５Ｇの右側には、テープ作成領域５Ｃに対して、テープ枠５Ｓが配置される向きが変更になるテープ横置きボタン５Ｊ、テープ縦置きボタン５Ｋがある。これら２つのボタンは常にいずれか一方のみが選択状態にあり、テープ枠５Ｓの向きに連動している。図５では、テープ横置きボタン５Ｊが選択状態にあり、テープ枠５Ｓは横長の向きに配置されている。この時、テープ縦置きボタン５Ｋを選択状態にすると、テープ枠５Ｓは縦長の向きに配置が切り替わる。そして、テープ種類選択用リストボックス５Ｄを構成するテープ種類確定欄５Wとテープ長さ設定欄５Ｆをそれぞれ設定することにより、印刷テープ２３のサイズが決まる。更に、テープ種類自動設定ボタン５Ｇ、テープ長さ自動設定ボタン５Ｈを使用することによって印刷テープ２３のサイズを自動的に調整することができる。それらの設定に合わせてテープ枠５Ｓの表示サイズも変わる。
【００５０】
また、長手方向文字列指示ボタン５Ｈの右側には、印刷テープ２３の余白を設定する余白設定欄５Ｌが表示されている。更に、テープ長さ設定欄５Ｆの上方には、印刷テープ２３の構成を設定する印刷テープ構成設定欄５Ｍが表示されている。
【００５１】
また、テープ作成作業領域５Ｃの左側上方には、印刷テープ２３を作成するための印刷指示が出される印刷指示ボタン５Ｎが表示されている。更に、印刷指示ボタン５Ｎの右上方には、印刷テープ２３が印刷される枚数を設定する印刷枚数設定欄５Ｐが表示されている。そして、印刷指示ボタン５Ｎの左上方には、印刷テープ２３が印刷される書体を設定する書体設定欄５Ｑが表示されている。
【００５２】
また、テープ作成作業領域５Ｃの左辺端部には、図形ツール欄５Ｒが表示され、オブジェクト選択ツール、テキストツール、テキストサイズ変更ツール、直線ツール、四角形ツール、円形ツール、楕円ツール、自在曲線ツール、自在多角形ツール、太枠四角形ツール等が内蔵されている。
【００５３】
そして、コンピュータ装置２に付随する表示装置５の画面５Ａに、今回立ち上げられたエディタ表示画面５Ｂの内容は、先回の立ち上げによって最後に記憶された内容がそのまま表示される。例えば、図５の場合は、テープ種類選択用リストボックス５Ｄを構成するテープ種類確定欄５Wにてテープの種類としてテープ幅１２ｍｍのテープカセット３Ｄの種類が設定されており、テープ長さ設定欄５Ｆにてテープ長さが５０ｍｍに設定されていたために、テープ作成作業領域５Ｃに５０ｍｍ×１２ｍｍのテープ枠５Ｓが表示されている。また、余白設定欄５Ｌにおいては２ｍｍの余白が設定され、印刷テープ構成設定欄５Ｍにおいては通常フォーマットが設定され、更に、印刷関係においては印刷枚数設定欄５Ｐにて１枚の印刷が設定され、書体設定欄５Ｑにて標準書体が設定された状態になっている。この状態が、先回から引き継いだ状態として表示されている。
【００５４】
次に、前記のように構成されるラベル作成装置１を構成するコンピュータ装置２の処理について図６乃至図８に基づき説明する。ここで、図６は、コンピュータ装置２のメイン処理のフローチャート、図７は、コンピュータ装置２におけるテープ種類設定処理のフローチャート、図８は、コンピュータ装置２におけるテープ種類設定画面表示処理のフローチャートである。これら図６、図７及び図８のフローチャートにて示されるプログラムは、ＲＯＭ４２及びＨＤＤ４９に装着されているハードディスク等の記憶領域に記憶されており、ＣＰＵ４１により実行される。
【００５５】
図６に示すように、先ずステップ（以下、Ｓと略記する）１において、ＲＡＭ４３に記憶されている各種のデータが初期化される。特に、装着回数対テープ種類４３Ａの設定値は、ＨＤＤ４９に装着されるハードディスクに常時記憶されており、Ｓ１においては、そこから読み出されて、ＲＡＭ４３上の装着回数対テープ種類４３Ａに書き込まれる。尚、本メイン処理の不図示の終了時には、ＲＡＭ４３上の装着回数対テープ種類４３Ａの値は、ＨＤＤ４９に装着されるハードディスクに記憶され、ハードディスクに記憶されている値は更新される。その後、Ｓ２に進む。
【００５６】
テープ印刷装置３においては、装着されているテープカセット３Ｄの種類は、カセットセンサ６８を介して常に監視され、把握されている。Ｓ２においては、コンピュータ装置２は、テープ印刷装置３からそのテープカセット３Ｄの種類を取得する。詳しくは、コンピュータ装置２のＣＰＵ４１は、通信用Ｉ／Ｆ４５を介して、テープ印刷装置３に対しカセット種類取得要求コマンドを送信する。そのカセット種類取得要求コマンドを受信したテープ印刷装置３は、カセットセンサ６８を介して常に把握しているテープカセット３Ｄの種類を示すテープ種類識別信号をコンピュータ装置２に送り返す。それにより、コンピュータ装置２のＣＰＵ４１は、テープ印刷装置３に装着されているテープカセット３Ｄの種類を取得する。
例えば、現在、テープ印刷装置３にテープ幅２４ｍｍのテープカセット３Ｄの種類が装着されているとすると、前述のようにテープ幅２４ｍｍのテープカセット３Ｄの種類を表す「０１００」のカセット信号を受信する。
【００５７】
次に、Ｓ３においては、受信したテープ種類識別信号に基づいてテープ種類設定情報の更新が行われる。テープ種類設定情報には、装着回数対テープ種類４３Ａと現在装着されているテープカセット３Ｄの種類を記憶するＲＡＭ４３の装着テープ記憶エリア４３Ｂが含まれる。そのため、装着テープ記憶エリア４３Ｂが現在装着されているテープカセット３Ｄの種類に書き換えられる。また、装着回数対テープ種類４３Ａの更新が行われる。
【００５８】
ここに、装着回数対テープ種類４３Ａには、テープ印刷装置３において使用するテープ種類とその使用回数とが対になって格納される。本実施形態においては、Ｓ２にてテープ印刷装置３に装着されたテープカセット３Ｄの種類をコンピュータ装置２は取得するので、その時の累積取得回数を装着回数としている。また、テープ印刷装置３に装着されたか否かに関わらず、テープ種類選択用リストボックス５Ｄを構成するテープ種類確定欄５Wにてテープカセットが選択された回数も装着回数に加算される。
【００５９】
尚、テープ幅の細いテープにて幅の広いラベルを作成する場合、ラベルの模様を幅方向に分割し、細いテープに割り付けるスプレッド印刷という印刷方法がある。例えば、４８ｍｍ幅のラベルを、２４ｍｍ幅テープを幅方向に２つ並べることにより作成することができる。本実施形態においては、そのスプレッド印刷にも対応している。そして、本実施形態においては、例えば、同じ２４ｍｍ幅テープを使用する場合でも、２４ｍｍ幅のラベルを作成する時と、４８ｍｍ幅のラベルを作成する時とは違うテープ種類としてカウントする。後述する図１０に示すように、スプレッド印刷の時は、テープ種類選択用リストボックス５Ｄを構成する選択肢表示領域５Ｅに表示される選択肢には、テープ幅に加えて「×」、及び整数が表記される。例えば、「２４ｍｍ×２」という選択肢は、「テープ幅２４ｍｍ」のテープ２列によるスプレッド印刷を示し、「２４ｍｍ×３」という選択肢は、「テープ幅２４ｍｍ」のテープ３列によるスプレッド印刷を示す。
【００６０】
装着回数対テープ種類４３Ａの最初の状態においては何も記憶されていない。テープカセット３Ｄの新しい種類がコンピュータ装置２にて取得される、若しくは、テープカセット３Ｄの新しい種類が選択される度に、１対のテープ種類とその使用回数が増加する。
例えば過去に、テープ印刷装置３に装着されたテープカセット３Ｄの種類としてテープ幅６ｍｍと１２ｍｍのみがあったとすると、検出回数対テープ種類記憶エリア４３Ａには、「テープ幅６ｍｍ」とその検出回数、「テープ幅１２ｍｍ」とその検出回数が既に記憶されている。そして、今回、テープ印刷装置３にテープ幅２４ｍｍのテープカセット３Ｄが装着されているとすると、今回新たに、現在装着されているテープ幅２４ｍｍのテープカセット３Ｄに対応するテープ種類として「テープ幅２４ｍｍ」とその検出回数１が追加して記憶される。一方、過去に、テープ印刷装置３にテープ幅２４ｍｍのテープカセット３Ｄが装着、若しくは、テープ種類選択用リストボックス５Ｄにて選択されたことがある場合は、既に「テープ幅２４ｍｍ」が記憶されている。その場合は、「テープ幅２４ｍｍ」に対応する検出回数を１加算する。
【００６１】
また、Ｓ２において、「未装着」が検出された時は、装着テープ記憶エリア４３Ｂが「未装着」に書き換えられ、装着回数対テープ種類４３Ａの更新が行われない。
尚、装着回数対テープ種類４３Ａには、予め全てのテープ種類を記憶しておき、一度も使用されたことのないテープ種類に対応する検出回数は０を設定するように構成してもよい。コンピュータ装置２は、図６に係るメイン処理の開始時にのみテープ印刷装置３に装着されているテープカセット３Ｄの種類を取得しているが、常時もしくは定期的に取得するように構成してもよい。装着回数対テープ種類４３Ａに記憶される装着回数は、テープ印刷装置３に装着されたテープカセット３Ｄの検出回数とテープ種類選択用リストボックス５Ｄによる選択回数の和だが、テープ印刷装置３に装着されたテープカセット３Ｄの検出回数のみ、或いは、テープ種類選択用リストボックス５Ｄによる選択回数のみというように構成してもよい。同じ幅のテープを使用する場合でも、その幅のラベルを作成する時と、スプレッド印刷にてラベルを作成する時とは違うテープ種類としてカウントしているが、同じ種類としてカウントするように構成してもよい。
その後、Ｓ４に進む。
【００６２】
Ｓ４においては、図５に示したようなエディタ表示画面５Ｂが、コンピュータ装置２の表示装置５の画面５Ａに、表示装置コントローラ５０を介して表示される。その時、ＲＡＭ４３のリストボックス状態記憶エリア４３Ｄ等が参照され、前回立ち上げ時に最後に表示されたサイズのテープ枠５Ｓが、エディタ表示画面５Ｂのテープ作成作業領域５Ｃに表示される。テープ種類選択用リストボックス５Ｄを構成するテープ種類確定欄５Wやテープ長さ設定欄５Ｆ等各種表示エリアの表示も前回立ち上げ時に最後に表示された値が表示される。
【００６３】
次に、Ｓ５においては、印刷テープ２３を作成するためにテープ枠５Ｓへのキーボード６等からのデータ入力があるか否かが判断される。データ入力がない場合は（Ｓ５：ＮＯ）、Ｓ７に進む。また、データ入力がある場合は（Ｓ５：ＹＥＳ）、Ｓ６に進み、印刷テープ２３を作成するためのデータ入力処理が行われる。そして、Ｓ７に進む。
例えば、「特許国内出願  Ｎｏ．１」のデータ入力が行われたとすると、テープ枠５Ｓの中に「特許国内出願  Ｎｏ．１」が表示される（図１１参照）。
【００６４】
Ｓ７においては、印刷テープ２３を作成するために、エディタ表示画面５Ｂに表示されているテープ枠５Ｓのイメージと寸法を変更するテープ種類変更操作があるか否かが判断される。テープ種類変更操作とは、具体的には、操作者がテープ種類選択用リストボックス５Ｄを構成するテープ種類確定欄５Wの下三角５Ｘをクリックすることであり、そうすることによりテープ種類選択用リストボックス５Ｄを構成する選択肢表示領域５Ｅが開かれ、そこから所望の選択肢を選択することができる。テープ種類変更操作がない場合は（Ｓ７：ＮＯ）、Ｓ９に進む。また、テープ種類変更操作がある場合は（Ｓ７：ＹＥＳ）、Ｓ８に進み、テープ種類を変更するためのテープ種類設定処理（図７参照）が行われる。そして、Ｓ９に進む。
【００６５】
Ｓ９においては、エディタ表示画面５Ｂに表示されているテープ枠５Ｓにデータが入力され、そのデータ入力された印刷テープ２３を作成するための印刷実行操作があるか否かが判断される。印刷実行操作とは、具体的には、操作者が印刷指示ボタン５Ｎをクリックしたり、エディタ表示画面５Ｂの上部にあるファイルメニューのサブメニューの印刷メニューを選択したりすることである。印刷実行操作がない場合は（Ｓ９：ＮＯ）、その他の操作があるか否かが判断される。その他の操作があると判断された場合は、その操作に対応する処理を行う。例えば、テープ長さ設定欄５Ｆへの操作がなされた場合は、テープ長さの設定がされる。その後、Ｓ５に戻り、その後のステップが繰り返される。その他の操作がないと判断された場合は、Ｓ５に戻り、その後のステップが繰り返される。また、印刷実行操作がある場合は（Ｓ９：ＹＥＳ）、Ｓ１０に進み、印刷テープ２３を作成するための印刷処理が行われた後にＳ５に戻り、その後のステップが繰り返される。前記印刷処理においては、印刷のためのドットパターンが作成され、１ドットラインずつサーマルヘッド１９にてラミネートフィルムテープ１１に印刷がされる。例えば、テープ枠５Ｓに「特許国内出願  Ｎｏ．１」のデータ入力がされた場合は、「特許国内出願  Ｎｏ．１」と印刷された幅２４ｍｍ×長さ６０ｍｍの印刷テープ２３（図１２参照）が作成される。
【００６６】
次に、コンピュータ装置２において前記Ｓ８にて行われるテープ種類設定処理について図７に基づき説明する。
【００６７】
テープ種類設定処理においては、先ずＳ２１において、ＲＡＭ４３に記憶されているテープ種類設定情報が読み込まれる。
【００６８】
次に、Ｓ２２においては、ＲＡＭ４３の検出回数対テープ種類記憶エリア４３Ａ、装着テープ記憶エリア４３Ｂ等のテープ種類設定情報に基づいて、テープ種類設定画面表示処理（処理後、選択肢表示領域５Ｅを開いた図は図９を参照）が行われる。
【００６９】
Ｓ２３においては、テープ種類設定画面表示処理を行った後に、テープ種類を選択するために選択肢表示領域５Ｅにおいて仮の選択状態にある項目を指定する項目移動操作があるか否かが判断される。仮の選択状態にある項目においては、反転表示される。エディタ表示画面５Ｂは、マウスカーソル７Ａを選択肢表示領域５Ｅにある項目の何れかに移動させるとマウスカーソル７Ａのある項目が反転表示されるように構成されている。項目移動操作とは、そのように、操作者がマウスカーソル７Ａを選択肢表示領域５Ｅにある項目の何れかに移動させて何れか１つの項目を仮の選択状態にする操作のことである。尚、一旦仮の選択状態になった項目は、マウスカーソル７Ａが選択肢表示領域５Ｅから外れてもその選択状態は解除されないように構成されている。項目移動操作がない場合は（Ｓ２３：ＮＯ）、Ｓ２５に進む。また、項目移動操作がある場合は（Ｓ２３：ＹＥＳ）、Ｓ２４に進み、項目移動が行われた後にＳ２１に戻り、その後のステップが繰り返される。
【００７０】
Ｓ２５においては、ラベル作成装置１において装着可能なテープ種類の内、選択肢表示領域５Ｅに表示されないテープ種類が表示される表示追加ボタン５Ｖ（選択肢表示領域５Ｅの後尾（図９参照）に表示されている）の操作があるか否かが判断される。表示追加ボタン５Ｖの操作とは、具体的には、表示追加ボタン５Ｖが仮の選択状態にある場合にキーボート６から不図示のＥｎｔｅｒキーが押下されたり、表示追加ボタン５Ｖがクリックされたりすることである。表示追加ボタン５Ｖの操作がない場合は（Ｓ２５：ＮＯ）、Ｓ２７に進む。また、表示追加ボタン６Ｖの操作がある場合は（Ｓ２５：ＹＥＳ）、Ｓ２６に進む。Ｓ２６においては、選択肢表示領域５Ｅに全てのテープ種類が表示される。そして、Ｓ２１に戻り、その後のステップが繰り返される。
【００７１】
Ｓ２７においては、これまでの操作に対して確定操作があるか否かが判断される。確定操作とは、具体的には、選択肢表示領域５Ｅにおいて仮の選択状態にある項目がある場合にキーボート６から不図示のＥｎｔｅｒキーが押下されたり、何れかの項目がクリックされたりすることである。確定操作がない場合は（Ｓ２７：ＮＯ）、Ｓ２８に進む。Ｓ２８においては、その他の処理をする。その他の処理には、例えば、選択肢表示領域５Ｅ以外の領域をクリックする操作等がある。テープ作成作業領域５Ｃがクリックされた時は、テープ種類選択用リストボックス５Ｄを構成するテープ種類確定欄５Wの設定値は変わらずに、選択肢表示領域５Ｅが閉じた状態のエディタ表示画面５Ｂが表示装置５の画面５Ａに再描画される。その後、Ｓ３１に進む。また、確定操作がある場合は（Ｓ２７：ＹＥＳ）、Ｓ２９に進む。Ｓ２９において、項目を確定してＳ３０に進み、選択項目がリストボックス状態記憶エリア４３Ｄにテープ設定保存データとして保存された後にＳ３１に進む。
【００７２】
そして、Ｓ３１においては、ＲＡＭ４３の検出回数対テープ種類記憶エリア４３Ａ、装着テープ記憶エリア４３Ｂ等に記憶されているテープ種類設定情報に基づいて、表示装置５の画面５Ａに表示されたエディタ表示画面５Ｂが再描画される。特にテープ枠５Ｓのイメージが表示される。また、選択肢表示領域５Ｅは閉じられる。その後、図６のメイン処理に戻る。
【００７３】
次に、コンピュータ装置２において前記Ｓ２２（図７参照）において行われるテープ種類設定画面表示処理について図８に基づき説明する。尚、ここで言うテープ種類設定画面とは、選択肢表示領域５Ｅのことである。
【００７４】
テープ種類設定画面表示処理においては、先ずＳ４１において、ＲＡＭ４３の検出回数対テープ種類記憶エリア４３Ａ、装着テープ記憶エリア４３Ｂ等に記憶されているテープ種類設定情報に基づいて、検出されたテープと以前使用したテープ情報が取り出され、検出されたテープを先頭にして選択肢表示領域５Ｅの表示項目がセットされる。
尚、ＲＡＭ４３の検出回数対テープ種類記憶エリア４３Ａには、テープ種類と共に使用回数も記憶されているので、選択肢表示領域５Ｅの表示項目に現在装着されているテープ種類を先頭に使用回数の多い順番にテープ種類をセットしてもよい。
【００７５】
次に、Ｓ４２においては、ラベル作成装置１において装着可能なテープ種類の内、選択肢表示領域５Ｅに表示されないテープ種類を表示させる表示追加ボタン５Ｖが表示項目にセットされる。尚、表示追加ボタン操作の後には、この処理は実行されない。
【００７６】
そして、Ｓ４３においては、ここまでにセットした内容にてリストボックス状態記憶エリア４３Ｄが更新されると共に表示装置５のエディタ表示画面５Ｂの表示が更新される。
その後、図７のテープ種類設定処理に戻る。
【００７７】
次に、主に図５、図９乃至図１２に基づいて、ラベル作成装置１の動作について説明する。ここで、図９は、選択肢表示領域５Ｅが開かれた状態のエディタ表示画面のイメージ図、図１０は、表示追加ボタン５Ｖをクリックした状態のエディタ表示画面のイメージ図、図１１は、テープ枠５Ｓにデータ入力をした状態のエディタ表示画面のイメージ図、図１２は、印刷された印刷テープ２３を示す模式図である。
【００７８】
先ず、コンピュータ装置２において、ラベル印刷データ作成編集処理プログラムがＣＰＵ４１にて実行されると、ＲＡＭ４３の初期化等の初期化処理が行われる。その後、コンピュータ装置２からテープ印刷装置３に対しカセット種類取得要求コマンドを送信する。テープ印刷装置３においては、装着されているテープカセット３Ｄの種類は常に把握している。また、テープ印刷装置３は、コンピュータ装置２からの各種コマンドの受信待ちをしている。カセット種類取得要求コマンドを受信したテープ印刷装置３は、装着されているテープカセット３Ｄの種類を示すテープ種類識別信号をコンピュータ装置２に送り返す。それにより、コンピュータ装置２は、テープ印刷装置３に装着されているテープカセット３Ｄの種類を取得する。その後、コンピュータ装置２においては、表示装置５の画面５Ａに、エディタ表示画面５Ｂが表示される。この時のエディタ表示画面５Ｂ上の各設定は前回のエディタ表示画面５Ｂを表示、即ち、前回ラベル印刷データ作成編集処理プログラムを実行した時の設定である。図５に示す例においては、テープ種類選択用リストボックス５Ｄを構成するテープ種類確定欄５Wには、１２ｍｍが設定され、テープ長さ設定欄５Ｆには５０ｍｍが設定されている。また、テープ作成作業領域５Ｃには、５０ｍｍ×１２ｍｍのテープ枠５Ｓが表示されている。
【００７９】
エディタ表示画面５Ｂにおいて、テープ種類選択用リストボックス５Ｄを構成するテープ種類確定欄５Wの下三角５Ｘをクリック、即ち、テープ種類変更操作があると、選択肢表示領域５Ｅを表示するために、選択肢となるテープカセット３Ｄの種類の並び順を設定する。並び順としては、ラベル印刷データ作成編集処理プログラムの実行開始直後にテープ印刷装置３から取得したテープ印刷装置３に装着されているテープカセット３Ｄの種類が先頭になる。また、ＲＡＭ４３の検出回数対テープ種類記憶エリア４３Ａを参照して、使用実績のあるテープカセット３Ｄの種類がそれに続く。その次には、表示追加ボタンが来るように設定される。以上のように設定された並び順に基づき選択肢表示領域５Ｅの表示イメージが作成される。そして、表示装置５の画面５Ａに、選択肢表示領域５Ｅが開いた状態のエディタ表示画面５Ｂが表示される。
【００８０】
図９に示す選択肢表示領域５Ｅが開かれたエディタ表示画面５Ｂを示す例においては、装着テープ記憶エリア４３Ｂを参照したときに、現在テープ印刷装置３にテープ幅２４ｍｍのテープカセット３Ｄが装着されており、選択肢表示領域５Ｅの先頭にテープ幅２４ｍｍが表示される。また、ＲＡＭ４３の検出回数対テープ種類記憶エリア４３Ａを参照したときに、テープ幅６ｍｍと１２ｍｍが検出回数と共に記憶されており、２４ｍｍに続けてテープ幅６ｍｍと１２ｍｍが表示される。そして、選択肢表示領域５Ｅの末尾に、現在は使用実績がないため表示されていないが、テープ印刷装置３に装着可能なテープ種類を必要に応じて表示する表示追加ボタン５Ｖが表示される。尚、現在選択されている２４ｍｍが反転文字にて表示される。
【００８１】
また、表示装置５の画面５Ａに表示されたエディタ表示画面５Ｂには、前述のようにテープ印刷装置３にテープ幅２４ｍｍのテープカセット３Ｄの種類が装着されており、これに連動して幅２４ｍｍ×長さ６０ｍｍ（長さ６０ｍｍは操作者がテープ長さ設定欄５Ｆを使用して設定する）のテープ枠５Ｓのイメージが表示される。
【００８２】
選択肢表示領域５Ｅが開かれたエディタ表示画面５Ｂにおいては、選択肢表示領域５Ｅにある表示追加ボタン５Ｖをクリックするような表示追加ボタン操作があると、選択肢表示領域５Ｅにそれまで隠れていた選択肢が全て表示されるようになる。
【００８３】
図９に示すエディタ表示画面５Ｂにおいては、表示追加ボタン５Ｖをクリックすると図１０に示すエディタ表示画面５Ｂが表示される。このとき、テープ印刷装置３に装着可能なテープ幅９ｍｍ、テープ幅１８ｍｍ、テープ幅３６ｍｍ等、テープカセット３Ｄの全種類が表示される。そして、必要なテープ種類をクリックして確定するとＲＡＭ４３の検出回数対テープ種類記憶エリア４３Ａにそのテープ種類が記憶される。尚、マウスカーソル７Ａを選択肢の上に移動することにより、その選択肢が反転文字にて表示される。
【００８４】
選択肢表示領域５Ｅが閉じられたエディタ表示画面５Ｂにおいては、テープ枠５Ｓの内部をクリックするような操作（その他の操作の１つ）があると、不図示のカーソルが表示される。その後、キーボード６からの文字入力等のデータ入力があると、文字等がテープ枠５Ｓ内に表示される。
【００８５】
図１１は、表示装置５の画面５Ａに表示されたエディタ表示画面５Ｂに表示されたテープ枠５Ｓにデータ入力をして表示した状態を示す例である。
図１１は、図９又は図１０に示すエディタ表示画面５Ｂにおいて、テープ作成作業領域５Ｃがクリックされることにより選択肢表示領域５Ｅが閉じる。更に、テープ枠５Ｓにキーボード６等からの文字のデータ入力によって文字が入力された状態のエディタ表示領域５Ｂを図１１は示している。ここでは、キーボード６から「特許国内出願  Ｎｏ．１」の文字のデータ入力があり、「特許国内出願  Ｎｏ．１」がテープ枠５Ｓの中に表示されている。
そして、テープ印刷装置３に印刷実行操作があるとテープ印刷装置３は、印刷処理を行い、印刷のためのドットパターンが作成され、１ドットラインずつサーマルヘッド１９にてラミネートフィルムテープ１１に印刷される。図１２に示す印刷テープは、図１１において印刷実行操作した時に作成される「特許国内出願  Ｎｏ．１」と印刷された幅２４ｍｍ×長さ６０ｍｍの印刷テープ２３である。
【００８６】
以上詳細に説明した通り第１実施形態に係るラベル作成装置１においては、ラベル作成装置１を構成するテープ印刷装置３に装着可能な前記テープ状印刷媒体のテープカセット３Ｄの種類を検出するカセットセンサ６８と、カセットセンサ６８によって検出される回数をテープカセット３Ｄの種類と共に記憶するＲＡＭ４３の検出回数対テープ種類記憶エリア４３Ａと、エディタ表示画面５Ｂによって操作者に印刷データを作成・編集させるＣＰＵ４１によって作成・編集された印刷データを印刷するために印刷データに適合するテープ状印刷媒体のテープカセット３Ｄが選択される選択肢表示領域５Ｅと、テープ作成装置３に現在装着されてＲＡＭ４３の検出回数対テープ種類記憶エリア４３Ａに記憶されているテープ状印刷媒体のテープカセット３Ｄの種類と、これ以前にラベル作成装置１に装着されてＲＡＭ４３の検出回数対テープ種類記憶エリア４３Ａにテープカセット３Ｄの種類と共に記憶されているテープ状印刷媒体のテープカセット３Ｄが検出される回数に基づいて選択肢表示領域５Ｅの表示内容を変更するＣＰＵ４１と、を備えている。それにより、選択肢表示領域５Ｅにおいて、ＲＡＭ４３の検出回数対テープ種類記憶エリア４３Ａに記憶されたテープ種類と検出される回数に基づいて使用頻度が高いテープ種類を目立たせることにより、操作者が目的のテープ種類を素早く見付け出すことができる。選択肢表示領域５Ｅの表示内容を使用実績のあるテープカセット３Ｄの種類のみにして表示を簡略化したり、使用実績のあるテープカセット３Ｄの種類と使用実績のないテープカセット３Ｄの種類との差が明確になるように表示したりすることによって、操作者が目的のテープカセット３Ｄの種類を素早く見付け出すことができる。
【００８７】
また、コンピュータ装置２のＣＰＵ４１によって、ラベル作成装置１を構成するテープ印刷装置３に装着可能なテープカセット３Ｄの種類の内、選択肢表示領域５Ｅの表示内容を使用実績のあるテープカセット３Ｄの種類のみを表示するようにした。それにより、全テープカセット３Ｄの種類を表示することなく使用実績のあるテープカセット３Ｄの種類のみを表示するので、表示が簡単になり、操作者が目的のテープカセット３Ｄの種類を素早く見付け出すことができる。
【００８８】
また、ラベル作成装置１を構成するテープ印刷装置３に装着可能なテープカセット３Ｄの種類の内、選択肢表示領域５Ｅに表示されないテープカセット３Ｄの種類は、選択肢表示領域５Ｅに表示されている表示追加ボタン５Ｖを選択することによって表示されるようにした。それにより、使用実績がないテープカセット３Ｄの種類は表示追加ボタン５Ｖによってまとめられているので選択肢表示領域５Ｅの表示が煩雑にならない。
【００８９】
また、コンピュータ装置２のＣＰＵ４１によって、ラベル作成装置１を構成するテープ印刷装置３に現在装着されて、ＲＡＭ４３の検出回数対テープ種類記憶エリア４３Ａに記憶されているテープ状印刷媒体のテープカセット３Ｄの種類を選択肢表示領域５Ｅに表示されるテープカセット３Ｄの種類中表示順序が先頭になるように配置するようにした。それにより、使用される可能性が高いテープカセット３Ｄの種類の１つが選択し易い位置にあることになる。また、ラベル作成装置１を構成するテープ印刷装置３に現在装着されているテープカセット３Ｄの種類の確認は選択肢表示領域５Ｅの先頭のテープカセット３Ｄの種類を確認すればよい。
【００９０】
次に、第２実施形態に係るラベル作成装置について、図１３乃至図１５に基づき説明する。ここで、図１３は、第２実施形態に係る選択肢表示領域５Ｅが開かれた状態のエディタ表示画面５Ｂのイメージ図、図１４は、ラベル作成装置１を構成するコンピュータ装置２におけるテープ種類設定処理のフローチャート、図１５は、コンピュータ装置２におけるテープ種類設定画面表示処理のフローチャートである。
【００９１】
また、第２実施形態に係るラベル作成装置の概略構成は、第１実施形態に係るラベル作成装置１とほぼ同様の構成である。更に、各種制御処理も第１実施形態に係るラベル作成装置１とほぼ同じ制御処理である。そのため、以下の説明において使用する符号は、同一機能のものは同一の符号を使用する。
【００９２】
第１実施形態に係るラベル作成装置１の図６におけるＳ８のテープ種類設定処理と、図７におけるＳ２２のテープ種類設定画面表示処理において、選択肢表示領域５Ｅを表示するときの表示方法が異なっていることがポイントであるので、この異なるポイントを中心に説明する。
尚、装着回数対テープ種類４３Ａには、予め全てのテープ種類を記憶しておき、一度も使用されたことのないテープ種類に対応する検出回数は０を設定するように構成されており、一度も使用されたことのないテープ種類が選択肢表示領域５Ｅに表示されるときはハーフトーンにて表示されるように設定されている。
【００９３】
先ず、本実施形態において後述するテープ種類設定画面表示プログラムを実行した時に表示されるエディタ表示画面５Ｂについて、図１３に基づき説明する。
【００９４】
図１３のエディタ表示画面５Ｂは、図５のエディタ表示画面５Ｂと基本的に同様の構成である。図５のエディタ表示画面５Ｂと異なる点は、図１３のテープ種類選択用リストボックス５Ｄを構成する選択肢表示領域５Ｅが開かれたときの表示内容であるのでこの点を説明する。図１３に示すテープ作成作業領域５Ｃの上方中央には、図５と同様に印刷テープ２３を作成するためにテープの種類を選択するテープ種類選択用リストボックス５Ｄを構成するテープ種類確定欄５Wと開かれた選択肢表示領域５Ｅが表示されている。そして、テープ種類選択用リストボックス５Ｄを構成するテープ種類確定欄５Wの右にある下三角５Ｘにマウスカーソル７Ａを当てマウス７によってクリックすると、テープ種類選択用リストボックス５Ｄを構成する選択肢表示領域５Ｅが表示され、所望するテープの種類を選択することができる。
【００９５】
前記の開かれた選択肢表示領域５Ｅには、テープ印刷装置３に装着可能なテープ幅６ｍｍ、テープ幅９ｍｍ、テープ幅１２ｍｍ、テープ幅１８ｍｍ、テープ幅２４ｍｍ、テープ幅３６ｍｍ等、テープカセット３Ｄの全種類が表示される。このとき、以前に使用実績のあるテープカセット３Ｄは実線によって表示され、使用実績のないテープカセット３Ｄはハーフトーンにて表示されている。この点が図５のエディタ表示画面５Ｂと異なる。
【００９６】
次に、本実施形態に係るラベル作成装置１において行われるテープ種類設定処理とテープ種類設定画面表示処理を図１４及び図１５に基づき説明する。尚、本実施形態に係るコンピュータ装置２のメイン処理のフローチャートは、第１実施形態の図６に示すコンピュータ装置２のメイン処理のフローチャートと同等であるためここでの説明を省略する。
【００９７】
図１４に示すようにテープ種類設定処理においては、先ずＳ６１において、ＲＡＭ４３の検出回数対テープ種類記憶エリア４３Ａ、装着テープ記憶エリア４３Ｂ等に記憶されているテープ種類設定情報が読み込まれる。
【００９８】
次に、Ｓ６２においては、ＲＡＭ４３の検出回数対テープ種類記憶エリア４３Ａ、装着テープ記憶エリア４３Ｂ等のテープ種類設定情報に基づいて、テープ種類設定画面表示処理（処理後の選択肢表示領域５Ｅを開いた図は、図１３を参照）が行われる。
【００９９】
Ｓ６３においては、テープ種類設定画面表示処理が行われた後に、テープ種類を選択するために選択肢表示領域５Ｅにおいて仮の選択状態にある項目を指定する項目移動操作があるか否かが判断される。仮の選択状態にある項目は、反転表示される。エディタ表示画面５Ｂは、マウスカーソル７Ａを選択肢表示領域５Ｅにある項目の何れかに移動させるとマウスカーソル７Ａのある項目が反転表示されるように構成されている。項目移動操作とは、そのように、操作者がマウスカーソル７Ａを選択肢表示領域５Ｅにある項目の何れかに移動させて何れか１つの項目を仮の選択状態にする操作のことである。尚、ハーフトーンにて表示されている項目も反転表示される。また、一旦仮の選択状態になった項目は、マウスカーソル７Ａが選択肢表示領域５Ｅから外れてもその選択状態は解除されないように構成されている。項目移動操作がない場合は（Ｓ６３：ＮＯ）、Ｓ６５に進む。また、項目移動操作がある場合は（Ｓ６３：ＹＥＳ）、Ｓ６４に進み、項目移動が行われた後にＳ６１に戻り、その後のステップが繰り返される。
【０１００】
Ｓ６５においては、テープ種類を選択するために選択肢表示領域５Ｅの枠から外れた項目をスクロールして選択肢表示領域５Ｅの枠内に表示する項目スクロール操作があるか否かが判断される。項目スクロール操作とは、選択肢表示領域５Ｅに表示されるテープ種類の項目が増加して選択肢表示領域５Ｅの枠から外れて表示されない項目ができたとき、選択肢表示領域５Ｅの枠の右側にスクロールバーが表示されるので、そのスクロールバーのつまみの部分にマウスカーソル７Aをあわせ、マウスをクリックしたまま上下に移動して上下の見えなかった部分を見えるようにする操作である。項目スクロール操作がない場合は（Ｓ６５：ＮＯ）、Ｓ６７に進む。また、項目スクロール操作がある場合は（Ｓ６５：ＹＥＳ）、Ｓ６６に進み、項目スクロールが行われた後にＳ６１に戻り、その後のステップが繰り返される。
【０１０１】
Ｓ６７においては、これまでの操作に対して確定操作があるか否かが判断される。確定操作とは、具体的には、選択肢表示領域５Ｅにおいて仮の選択状態にある項目がある場合にキーボート６から不図示のＥｎｔｅｒキーが押下されたり、何れかの項目がクリックされたりすることである。確定操作がない場合は（Ｓ６７：ＮＯ）、Ｓ６８に進む。Ｓ６８においては、その他の処理をする。その他の処理には、例えば、選択肢表示領域５Ｅ以外の領域をクリックする操作等がある。テープ作成作業領域５Ｃがクリックされた時は、テープ種類選択用リストボックス５Ｄを構成するテープ種類確定欄５Wの設定値は変わらずに、選択肢表示領域５Ｅが閉じた状態のエディタ表示画面５Ｂが表示装置５の画面５Ａに再描画される。その後、Ｓ７１に進む。また、確定操作がある場合は（Ｓ６７：ＹＥＳ）、Ｓ６９に進む。Ｓ６９においては、項目が確定されてＳ７０に進み、選択項目がリストボックス状態記憶エリア４３Ｄにテープ設定保存データとして保存された後にＳ７１に進む。
【０１０２】
そして、Ｓ７１においては、ＲＡＭ４３の検出回数対テープ種類記憶エリア４３Ａ、装着テープ記憶エリア４３Ｂ等に記憶されているテープ種類設定情報に基づいて、表示装置５の画面５Ａに表示されたエディタ表示画面５Ｂが再描画される。特にテープ枠５Ｓのイメージが表示される。また、選択肢表示領域５Ｅは閉じられる。その後、図６のメイン処理に戻る。
【０１０３】
次に、コンピュータ装置２において前記Ｓ６２（図１４参照）において行われるテープ種類設定画面表示処理について図１５に基づき説明する。尚、ここで言うテープ種類設定画面とは、選択肢表示領域５Ｅのことである。
【０１０４】
図１５のテープ種類設定画面表示処理においては、選択肢表示領域５Ｅに対して、テープ印刷装置３に装着可能なテープカセット３Ｄの種類の状態を表示するためにＲＡＭ４３の検出回数対テープ種類記憶エリア４３Ａ、装着テープ記憶エリア４３Ｂ等に記憶されているテープ種類設定情報に基づいて、それぞれのテープカセット３Ｄの種類の状態がチェックされて状態分けがなされる。そして、その結果は選択肢表示領域５Ｅが開かれたときに表示される。
【０１０５】
先ずＳ８１において、チェックされるテープカセット３Ｄの種類としてテープ印刷装置３に現在装着されているテープカセット３Ｄの種類であるか否かが判断される。テープカセット３Ｄの種類がテープ印刷装置３に現在装着されているテープカセット３Ｄの種類である場合（Ｓ８１：ＹＥＳ）、Ｓ８２に進み、テープ種類の項目が実線にて表示されるようにしてＳ８５に進む。テープカセット３Ｄの種類がテープ印刷装置３に現在装着されているテープカセット３Ｄの種類でない場合（Ｓ８１：ＮＯ）、Ｓ８３に進み、チェックされるテープカセット３Ｄの種類として以前使用したテープカセット３Ｄの種類であるか否かが判断される。テープカセット３Ｄの種類が以前使用したテープカセット３Ｄの種類である場合（Ｓ８３：ＹＥＳ）、Ｓ８２に進み、テープ種類の項目が実線にて表示されるようにしてＳ８５に進む。テープカセット３Ｄの種類が以前使用したテープカセット３Ｄの種類でない場合（Ｓ８３：ＮＯ）、Ｓ８４に進み、テープ種類の項目がハーフトーンのまま表示されるようにしてＳ８５に進む。そして、Ｓ８５においては、ここまでセットされた内容にてリストボックス状態記憶エリア４３Ｄが更新されると共に表示装置５のエディタ表示画面５Ｂの表示が更新される。その後、図１４のテープ種類設定処理に戻る。
【０１０６】
次に、図１３に基づいて、ラベル作成装置１の動作について説明する。
先ず、コンピュータ装置２において、ラベル印刷データ作成編集処理プログラムがＣＰＵ４１にて実行されると、ＲＡＭ４３の初期化等の初期化処理が行われる。その後、コンピュータ装置２からテープ印刷装置３に対しカセット種類取得要求コマンドを送信する。テープ印刷装置３においては、装着されているテープカセット３Ｄの種類は常に把握している。また、テープ印刷装置３は、コンピュータ装置２からの各種コマンドの受信待ちをしている。カセット種類取得要求コマンドを受信したテープ印刷装置３は、装着されているテープカセット３Ｄの種類を示すテープ種類識別信号をコンピュータ装置２に送り返す。それにより、コンピュータ装置２は、テープ印刷装置３に装着されているテープカセット３Ｄの種類を取得する。その後、コンピュータ装置２においては、表示装置５の画面５Ａに、エディタ表示画面５Ｂが表示される。この時のエディタ表示画面５Ｂ上の各設定は前回のエディタ表示画面５Ｂを表示、即ち、前回ラベル印刷データ作成編集処理プログラムを実行した時の設定である。図１３に示す例においては、テープ種類選択用リストボックス５Ｄを構成するテープ種類確定欄５Wには、２４ｍｍが設定され、テープ長さ設定欄５Ｆには６０ｍｍが設定されている。また、テープ作成作業領域５Ｃには、６０ｍｍ×２４ｍｍのテープ枠５Ｓが表示されている。
【０１０７】
エディタ表示画面５Ｂにおいて、テープ種類選択用リストボックス５Ｄを構成するテープ種類確定欄５Wの下三角５Ｘをクリック、即ち、テープ種類変更操作があると、選択肢表示領域５Ｅを表示するために、選択肢となるテープカセット３Ｄの種類の状態を設定する。選択肢表示領域５Ｅには、テープ印刷装置３に装着可能なテープ幅６ｍｍ、テープ幅９ｍｍ、テープ幅１２ｍｍ、テープ幅１８ｍｍ、テープ幅２４ｍｍ、テープ幅３６ｍｍ等、テープカセット３Ｄの全種類が表示される。そして、ＲＡＭ４３の検出回数対テープ種類記憶エリア４３Ａを参照して、使用実績のあるテープカセット３Ｄの種類が実線にて表示されるように設定される。更に、使用実績のないテープカセット３Ｄの種類がハーフトーンにて表示されるように設定される。以上の設定に基づき選択肢表示領域５Ｅの表示イメージが作成される。そして、表示装置５の画面５Ａに、選択肢表示領域５Ｅが開いた状態のエディタ表示画面５Ｂが表示される。
【０１０８】
図１３に示す選択肢表示領域５Ｅが開かれたエディタ表示画面５Ｂを示す例においては、装着テープ記憶エリア４３Ｂを参照したときに、現在テープ印刷装置３にテープ幅２４ｍｍのテープカセット３Ｄが装着されており、選択肢表示領域５Ｅにテープ幅２４ｍｍが実線にて表示される。また、ＲＡＭ４３の検出回数対テープ種類記憶エリア４３Ａを参照したときに、テープ幅６ｍｍと１２ｍｍが検出回数と共に記憶されており、テープ幅６ｍｍと１２ｍｍも実線にて表示される。そして、ＲＡＭ４３の検出回数対テープ種類記憶エリア４３Ａを参照したときに、現在は使用実績がないテープ幅９ｍｍ、１８ｍｍ、３６ｍｍ、１２ｍｍ×２、１８ｍｍ×２、２４ｍｍ×２、３６ｍｍ×２等のテープカセット３Ｄに対してはハーフトーンにて表示される。尚、現在仮に選択された１２ｍｍが反転文字にて表示されている。また、マウスカーソル７Ａを選択肢の上に移動することにより、その選択肢が反転文字にて表示される。このとき、ハーフトーンの選択肢も反転文字にて表示される。
【０１０９】
また、表示装置５の画面５Ａに表示されたエディタ表示画面５Ｂには、前述のようにテープ印刷装置３にテープ幅２４ｍｍのテープカセット３Ｄの種類が装着されており、これに連動して長さ６０ｍｍ×幅２４ｍｍ（長さ６０ｍｍは操作者がテープ長さ設定欄５Ｆを使用して設定する）のテープ枠５Ｓのイメージが表示される。
【０１１０】
選択肢表示領域５Ｅが閉じられたエディタ表示画面５Ｂにおいては、テープ枠５Ｓの内部をクリックするような操作（その他の操作の１つ）があると、不図示のカーソルが表示される。その後、キーボード６からの文字入力等のデータ入力があると、文字等がテープ枠５Ｓ内に表示される。
【０１１１】
以上詳細に説明した通り第２実施形態に係るラベル作成装置１においては、コンピュータ装置２のＣＰＵ４１によって、ラベル作成装置１を構成するテープ印刷装置３に装着可能なテープカセット３Ｄの種類の内、使用実績のないテープカセット３Ｄの種類は、選択肢表示領域５Ｅの表示色を変更して表示するようにした。それにより、使用実績のないテープカセット３Ｄの種類の表示色を使用実績のあるテープカセット３Ｄの種類の色よりも目立たない表示色にすることにより、使用実績のあるテープカセット３Ｄの種類を目立たせることができ、操作者操作者が目的のテープカセット３Ｄの種類を素早く見付け出すことができる。
【０１１２】
また、ラベル作成装置１を構成する表示装置５のエディタ表示画面５Ｂにおいては、選択肢表示領域５Ｅの表示色をハーフトーンにした。それにより、使用実績のないテープカセット３Ｄの種類の表示色を使用実績のあるテープカセット３Ｄの種類の色よりも目立たなくすることができ、使用実績のあるテープカセット３Ｄの種類が目立つので、操作者が目的のテープカセット３Ｄの種類を素早く見付け出すことができる。
【０１１３】
次に、第３実施形態に係るラベル作成装置について、図１６乃至図１８に基づき説明する。ここで、図１６は、第３実施形態に係る装着されたテープカセットのテープ残量が充分にある場合に選択肢表示領域が開かれた状態のエディタ表示画面のイメージ図、図１７は、ラベル作成装置を構成するコンピュータ装置におけるテープ種類設定画面表示処理のフローチャート、図１８は、装着されたテープカセットのテープ残量が充分にない場合に選択肢表示領域が開かれた状態のエディタ表示画面のイメージ図である。
【０１１４】
また、第３実施形態に係るラベル作成装置の概略構成は、第１及び第２実施形態に係るラベル作成装置１とほぼ同じ構成である。更に、各種制御処理も第１及び第２実施形態に係るラベル作成装置１とほぼ同じ制御処理である。そのため、以下の説明において使用する符号は、同一機能のものは同一の符号を使用する。
【０１１５】
第１実施形態に係るラベル作成装置１の図７におけるＳ２２のテープ種類設定画面表示処理と、第２実施形態に係るラベル作成装置１の図１４におけるＳ６２のテープ種類設定画面表示処理において、選択肢表示領域５Ｅを表示するときの表示方法が異なっていることがポイントであるので、この異なるポイントを中心に説明する。
尚、装着回数対テープ種類４３Ａには、予め全てのテープ種類を記憶しておき、テープ種類が選択肢表示領域５Ｅに表示されるときは実線にて表示されるように設定されている。
【０１１６】
先ず、本実施形態において後述するテープ種類設定画面表示プログラムを実行した時に表示されるエディタ表示画面５Ｂについて図１６に基づき説明する。
【０１１７】
図１６のエディタ表示画面５Ｂは、図５及び図１３のエディタ表示画面５Ｂと基本的に同様の構成である。図５及び図１３のエディタ表示画面５Ｂと異なる点は、図１６のテープ種類選択用リストボックス５Ｄを構成する選択肢表示領域５Eが開かれたときの表示内容であるのでこの点を説明する。図１６に示すテープ作成作業領域５Ｃの上方中央には、図５及び図１３と同様に印刷テープ２３を作成するためにテープの種類を選択するテープ種類選択用リストボックス５Ｄを構成するテープ種類確定欄５Wが表示されている。そして、テープ種類選択用リストボックス５Ｄを構成するテープ種類確定欄５Wの右にある下三角５Ｘにマウスカーソル７Ａを当てマウス７によってクリックすると、テープ種類選択用リストボックス５Ｄを構成する選択肢表示領域５Ｅが表示され、所望するテープの種類を選択することができる。
【０１１８】
前記の開かれた選択肢表示領域５Ｅには、テープ印刷装置３に装着可能なテープ幅６ｍｍ、テープ幅９ｍｍ、テープ幅１２ｍｍ、テープ幅１８ｍｍ、テープ幅２４ｍｍ、テープ幅３６ｍｍ等、テープカセット３Ｄの全種類が表示される。このとき、現在テープ印刷装置３に装着されているテープカセット３Ｄの種類及び以前に使用実績のあるテープカセット３Ｄは、テープカセット３Dの種類を示す項目の先頭に符号が付加されて表示され、使用実績のないテープカセット３Ｄは、テープカセット３Dの種類を示す項目の先頭に符号が付加されずに表示されている。この点が図５及び図１３のエディタ表示画面５Ｂと異なる。
【０１１９】
次に、本実施形態に係るラベル作成装置１において行われるテープ種類設定画面表示処理を図１７に基づき説明する。尚、本実施形態に係るコンピュータ装置２のメイン処理のフローチャートは、第１実施形態の図６に示すコンピュータ装置２のメイン処理のフローチャートと同等であるためここでの説明を省略する。更に、テープ種類設定処理のフローチャートは、第２実施形態の図１４に示すコンピュータ装置２のテープ種類設定処理のフローチャートと同等であるためここでの説明を省略する。また、ここで言うテープ種類設定画面とは、選択肢表示領域５Ｅのことである。
【０１２０】
図１７のテープ種類設定画面表示処理においては、選択肢表示領域５Ｅに対して、テープ印刷装置３に装着可能なテープカセット３Ｄの種類の状態を表示するためにＲＡＭ４３の検出回数対テープ種類記憶エリア４３Ａ、装着テープ記憶エリア４３Ｂ等に記憶されているテープ種類設定情報に基づいて、それぞれのテープカセット３Ｄの種類の状態がチェックされて状態分けがなされる。そして、その結果は選択肢表示領域５Ｅが開かれたときに表示される。
【０１２１】
先ず、Ｓ１０１において、チェックされるテープカセット３Ｄの種類としてテープ印刷装置３に現在装着されているテープカセット３Ｄの種類であるか否かが判断される。テープカセット３Ｄの種類がテープ印刷装置３に現在装着されているテープカセット３Ｄの種類である場合（Ｓ１０１：ＹＥＳ）、Ｓ１０２に進み、テープ印刷装置３に設けられたテープ残量センサ（図示しない）によって、テープ印刷装置３に現在装着されているテープカセット３Ｄのテープ残量が充分にあるか否かが判断される。テープ印刷装置３に現在装着されているテープカセット３Ｄのテープ残量が充分にある場合（Ｓ１０２：ＹＥＳ）、Ｓ１０３に進み、テープカセット３Ｄのテープ種類の項目の先端に現在テープ印刷装置３に装着されていることを示す●の符号が追加されてＳ１０８に進む。テープ印刷装置３に現在装着されているテープカセット３Ｄのテープ残量が充分にない場合（Ｓ１０２：ＮＯ）、Ｓ１０４に進み、テープカセット３Ｄのテープ種類の項目の先端にテープ残量が充分にないことを示す▲の符号が追加されてＳ１０８に進む。
【０１２２】
Ｓ１０１に戻って、テープカセット３Ｄの種類がテープ印刷装置３に現在装着されているテープカセット３Ｄの種類でない場合（Ｓ１０１：ＮＯ）、Ｓ１０５に進み、チェックされるテープカセット３Ｄの種類として以前使用したテープカセット３Ｄの種類であるか否かが判断される。テープカセット３Ｄの種類が以前使用したテープカセット３Ｄの種類である場合（Ｓ１０５：ＹＥＳ）、Ｓ１０６に進み、テープカセット３Ｄのテープ種類の項目の先端に過去の使用実績を示す○の符号が追加されてＳ１０８に進む。テープカセット３Ｄの種類が以前使用したテープカセット３Ｄの種類でない場合（Ｓ１０５：ＮＯ）、Ｓ１０７に進み、テープ種類の項目の先端が空白のまま表示されるようにしてＳ１０８に進む。そして、Ｓ１０８においては、ここまでセットした内容にてリストボックス状態記憶エリア４３Ｄが更新されると共に表示装置５のエディタ表示画面５Ｂの表示が更新される。その後、図１４のテープ種類設定処理に戻る。
尚、テープ種類の項目の先端に符号を追加しているが、テープ種類の文字を太くしてもよい。また、文字の色を変えてもよい。また、文字の背景色を変えてもよい。
【０１２３】
次に、図１６及び図１８に基づいて、ラベル作成装置１の動作について説明する。
先ず、コンピュータ装置２において、ラベル印刷データ作成編集処理プログラムがＣＰＵ４１にて実行されると、ＲＡＭ４３の初期化等の初期化処理が行われる。その後、コンピュータ装置２からテープ印刷装置３に対しカセット種類取得要求コマンドを送信する。テープ印刷装置３においては、装着されているテープカセット３Ｄの種類は常に把握している。また、テープ印刷装置３は、コンピュータ装置２からの各種コマンドの受信待ちをしている。カセット種類取得要求コマンドを受信したテープ印刷装置３は、装着されているテープカセット３Ｄの種類を示すテープ種類識別信号をコンピュータ装置２に送り返す。それにより、コンピュータ装置２は、テープ印刷装置３に装着されているテープカセット３Ｄの種類を取得する。その後、コンピュータ装置２においては、表示装置５の画面５Ａに、エディタ表示画面５Ｂが表示される。この時のエディタ表示画面５Ｂ上の各設定は前回のエディタ表示画面５Ｂを表示、即ち、前回ラベル印刷データ作成編集処理プログラムを実行した時の設定である。図１６に示す例においては、テープ種類選択用リストボックス５Ｄを構成するテープ種類確定欄５Wには、２４ｍｍが設定され、テープ長さ設定欄５Ｆには６０ｍｍが設定されている。また、テープ作成作業領域５Ｃには、６０ｍｍ×２４ｍｍのテープ枠５Ｓが表示されている。
【０１２４】
エディタ表示画面５Ｂにおいて、テープ種類選択用リストボックス５Ｄを構成するテープ種類確定欄５Wの下三角５Ｘをクリック、即ち、テープ種類変更操作があると、選択肢表示領域５Ｅを表示するために、選択肢となるテープカセット３Ｄの種類の状態を設定する。選択肢表示領域５Ｅには、テープ印刷装置３に装着可能なテープ幅６ｍｍ、テープ幅９ｍｍ、テープ幅１２ｍｍ、テープ幅１８ｍｍ、テープ幅２４ｍｍ、テープ幅３６ｍｍ等、テープカセット３Ｄの全種類が表示される。そして、ＲＡＭ４３の検出回数対テープ種類記憶エリア４３Ａを参照して、使用実績のあるテープカセット３Ｄの種類の先頭には使用実績のあることを示す符号を追加して表示されるように設定される。更に、使用実績のないテープカセット３Ｄの種類の先頭には空白が表示されるように設定される。以上の設定に基づき選択肢表示領域５Ｅの表示イメージが作成される。そして、表示装置５の画面５Ａに、選択肢表示領域５Ｅが開いた状態のエディタ表示画面５Ｂが表示される。
【０１２５】
図１６の選択肢表示領域５Ｅが開かれたエディタ表示画面５Ｂを示す例においては、装着テープ記憶エリア４３Ｂを参照したときに、現在テープ印刷装置３にテープ幅２４ｍｍのテープカセット３Ｄが装着されており、テープ印刷装置３に設けられたテープ残量センサ（図示しない）によって、テープカセット３Ｄのテープ残量が充分にあると判断されると選択肢表示領域５Ｅに表示の先頭に●の符号を追加したテープ幅２４ｍｍが表示される。また、ＲＡＭ４３の検出回数対テープ種類記憶エリア４３Ａを参照したときに、テープ幅６ｍｍと１２ｍｍの使用実績が検出回数と共に記憶されているので、テープ幅６ｍｍと１２ｍｍも表示の先頭に使用実績を示す○の符号が追加されて選択肢表示領域５Ｅに表示される。そして、ＲＡＭ４３の検出回数対テープ種類記憶エリア４３Ａを参照したときに、現在は使用実績がないテープ幅９ｍｍ、１８ｍｍ、３６ｍｍ、１２ｍｍ×２、１８ｍｍ×２、２４ｍｍ×２、３６ｍｍ×２等のテープカセット３Ｄに対しては表示の先頭が空白にされて選択肢表示領域５Ｅに表示される。尚、現在仮に選択された１２ｍｍが反転文字にて表示されている。また、マウスカーソル７Ａを選択肢の上に移動することにより、その選択肢が反転文字にて表示される。
【０１２６】
また、表示装置５の画面５Ａに表示されたエディタ表示画面５Ｂには、前述のようにテープ印刷装置３にテープ幅２４ｍｍのテープカセット３Ｄの種類が装着されており、これに連動して長さ６０ｍｍ×幅２４ｍｍ（長さ６０ｍｍは操作者がテープ長さ設定欄５Ｆを使用して設定する）のテープ枠５Ｓのイメージが表示される。
【０１２７】
次に、図１８の選択肢表示領域５Ｅが開かれたエディタ表示画面５Ｂを示す例においては、装着テープ記憶エリア４３Ｂを参照したときに、現在テープ印刷装置３にテープ幅２４ｍｍのテープカセット３Ｄが装着されており、テープ印刷装置３に設けられたテープ残量センサ（図示しない）によって、テープカセット３Ｄのテープ残量が充分にないと判断されると選択肢表示領域５Ｅに表示の先頭に▲の符号を追加したテープ幅２４ｍｍが表示される。これ以外は図１６の選択肢表示領域５Ｅが開かれたエディタ表示画面５Ｂを示す例と同様であるので以下の説明を省略する。
【０１２８】
以上詳細に説明した通り第３実施形態に係るラベル作成装置１においては、コンピュータ装置２のＣＰＵ４１によって、ラベル作成装置１を構成するテープ印刷装置３に装着可能なテープカセット３Ｄの種類の使用状態を、ＲＡＭ４３の装着テープ記憶エリア４３Ｂに記憶されている情報に基づいて、選択肢表示領域５Ｅのそれぞれのテープカセット３Ｄの種類の表示に符号を付加して表現した。それにより、例えば●の符号は現在テープ印刷装置３に装着されているテープの種類、▲の符号は現在テープ印字装置に装着されているがテープの残量が充分でないテープカセット３Ｄ、○の符号は過去に使用実績のあるテープカセット３Ｄの種類、符号のないテープカセット３Ｄの種類は使用実績のないテープカセット３Ｄの種類と決めておけば、操作者が目的のテープカセット３Ｄの種類を素早く見付け出すことができる。また、テープの使用状態が分かり煩雑な検索をなくすことができる。
【０１２９】
また、テープカセット３Ｄの使用状態を示す符号には、テープカセット３Ｄの残量が少ないことを示す符号を含むようにした。それにより、操作者はテープ状印刷媒体のテープカセット３Ｄの残量が少ないことを知ることができる。また、印字途中においてテープがなくなりもう一度作業を遣り直すという無駄をなくすことができる。
【０１３０】
尚、本発明は前記第１実施形態乃至第３実施形態に限定されるものではなく、本発明の要旨を逸脱しない範囲内にて種々の改良、変形が可能であることは勿論である。
例えば、テープは図１９及び図２０に示して後述するダイカットテープでもよい。ここで、図１９は、テープ印刷装置１０１にダイカットテープ１０３を装着した状態を示す斜視図、図２０は、エディタ表示画面５Ｂの選択肢表示領域５Ｅが開かれた状態とテープ枠５Ｓのイメージと寸法を表示した状態を示す説明図である。
【０１３１】
前記第１実施形態乃至第３実施形態においては、テープ状印刷媒体のテープカセット３Ｄに基づいて選択肢表示領域５Ｅを見易くして、操作者が目的のテープカセット３Ｄの種類を素早く見付け出すことができる実施形態を説明しているが、図１９に示すテープ印刷装置１０１に装着される面積や形状の異なるダイカットテープ１０３においても、図２０のエディタ表示画面５Ｂに示すように、選択肢表示領域５Ｅの表示を使用実績のあるダイカットテープ１０３と使用実績のないダイカットテープ１０３とを書体を変えたり文字の太さを変えたりして差別化することによって、操作者が目的のテープカセット３Ｄの種類を素早く見付け出すことができる。また、テープの使用状態が分かり煩雑な検索をなくすことができる。
【図面の簡単な説明】
【０１３２】
【図１】第１実施形態に係るラベル作成装置の概略外観斜視図である。
【図２】ラベル作成装置のテープ印刷装置の印刷機構にテープカセットを装着した場合の概略構成を示す平面図である。
【図３】ラベル作成装置を構成するコンピュータ装置の要部の回路構成を示す回路ブロック図である。
【図４】ラベル作成装置を構成するテープ印刷装置の要部の回路構成を示す回路ブロック図である。
【図５】ラベル印刷データ作成編集プログラムを実行した時に表示されるエディタ表示画面のイメージ図である。
【図６】コンピュータ装置のメイン処理のフローチャートである。
【図７】コンピュータ装置におけるテープ種類設定処理のフローチャートである。
【図８】コンピュータ装置におけるテープ種類設定画面表示処理のフローチャートである。
【図９】選択肢表示領域が開かれた状態のエディタ表示画面のイメージ図である。
【図１０】表示追加ボタンをクリックした状態のエディタ表示画面のイメージ図である。
【図１１】テープ枠にデータ入力をした状態のエディタ表示画面のイメージ図である。
【図１２】印刷された印刷テープを示す模式図である。
【図１３】第２実施形態に係る選択肢表示領域が開かれた状態のエディタ表示画面のイメージ図である。
【図１４】ラベル作成装置を構成するコンピュータ装置におけるテープ種類設定処理のフローチャートである。
【図１５】コンピュータ装置におけるテープ種類設定画面表示処理のフローチャートである。
【図１６】第３実施形態に係る装着されたテープカセットのテープ残量が充分にある場合に選択肢表示領域が開かれた状態のエディタ表示画面のイメージ図である。
【図１７】ラベル作成装置を構成するコンピュータ装置におけるテープ種類設定画面表示処理のフローチャートである。
【図１８】装着されたテープカセットのテープ残量が充分にない場合に選択肢表示領域が開かれた状態のエディタ表示画面のイメージ図である。
【図１９】テープ印刷装置にダイカットテープを装着した状態を示す斜視図である。
【図２０】選択肢表示領域が開かれた状態のエディタ表示画面のイメージ図である。
【符号の説明】
【０１３３】
１          ラベル作成装置
３          テープ印字装置
３Ｄ        テープカセット
４          ホストコントローラ
５          表示装置
５Ｂ        エディタ表示画面
５Ｃ        テープ作成作業領域
５Ｄ        テープ種類選択用リストボックス
５Ｅ        選択肢表示領域
５Ｓ        テープ枠
５Ｖ        表示追加ボタン
６          キーボード
７          マウス
８          イメージスキャナ
９          ＣＤリード・ライター（ＣＤ−Ｒ／Ｗ）
２３        印刷テープ
２４        突出片
４１        ＣＰＵ
４３        ＲＡＭ
４３Ａ      検出回数対テープ種類記憶エリア
４３Ｂ      装着テープ記憶エリア
４３Ｄ      リストボックス状態記憶エリア
６１        ＣＰＵ
６３        ＲＯＭ
６４        ＲＡＭ
６８        カセットセンサ
【図１】
0004730203.tif 000002
【図２】
0004730203.tif 000003
【図３】
0004730203.tif 000004
【図４】
0004730203.tif 000005
【図５】
0004730203.tif 000006
【図６】
0004730203.tif 000007
【図７】
0004730203.tif 000008
【図８】
0004730203.tif 000009
【図９】
0004730203.tif 000010
【図１０】
0004730203.tif 000011
【図１１】
0004730203.tif 000012
【図１２】
0004730203.tif 000013
【図１３】
0004730203.tif 000014
【図１４】
0004730203.tif 000015
【図１５】
0004730203.tif 000016
【図１６】
0004730203.tif 000017
【図１７】
0004730203.tif 000018
【図１８】
0004730203.tif 000019
【図１９】
0004730203.tif 000020
【図２０】
0004730203.tif 000021